(57)【要約】      （修正有）【課題】本体部の側方へ収納することができる側方収容部を有するバッグを提供する。【解決手段】上方に開口部を有する袋状の本体部１０と、前記本体部の側方に、展開状態と収納状態とに変形可能に設けられた側方収容部２０と、前記側方収容部の外面に設けられた規制部２３と、前記本体部に設けられ、前記規制部と係合する係合部１４とを備え、前記規制部は前記係合部との間で、前記側方収容部が収納状態を保持するように規制する状態と、前記側方収容部が展開状態となることを許容する状態とを少なくとも取り得ることを特徴とする。【選択図】図１
2020069351.tif 000002
【特許請求の範囲】
【請求項１】
上方に開口部を有する袋状の本体部と、
前記本体部の側方に、展開状態と収納状態とに変形可能に設けられた側方収容部と、
前記側方収容部の外面に設けられた規制部と、
前記本体部に設けられ、前記規制部と係合する係合部とを備え、
前記規制部は前記係合部との間で、前記側方収容部が収納状態を保持するように規制する状態と、前記側方収容部が展開状態となることを許容する状態とを少なくとも取り得ることを特徴とするバッグ。
【請求項２】
前記側方収容部は、
前記収納状態において外面を形成する第１側面部と、前記展開状態における前記側方収容部における外面の、前記第１側面部以外の部分を構成する第２側面部とを有し、
前記収納状態において、前記第２側面部は、前記第１側面部と前記本体部との間に収容されることを特徴とする請求項１に記載のバッグ。
【請求項３】
前記規制部は、
前記第１側面部と前記第２側面部との境界に位置する取付部に対して固定された紐部と、前記紐部に取り付けられ、前記本体部に設けられた係合部によって位置を規制される係止具を有することを特徴とする請求項２に記載のバッグ。
【請求項４】
前記係合部は、前記本体部における背面側に設けられ、
前記収納状態において、前記取付部が前記本体部に到達することを特徴とする請求項３に記載のバッグ。
【請求項５】
前記側方収容部は、底部を形成するベルトを有し、前記ベルトの両端がそれぞれ、前記側方収容部の下端部に固定されていることを特徴とする請求項１から４のいずれか一項に記載のバッグ。
【請求項６】
前記ベルトの一端は前記第１側面部に固定され、前記ベルトの多端は前記第２側面部に固定されることを特徴とする請求項５に記載のバッグ。
【請求項７】
前記規制部は、前記側方収容部に対し、上下に複数設けられることを特徴とする請求項１から６のいずれか一項に記載のバッグ。
【発明の詳細な説明】
【技術分野】
【０００１】
本発明は、本体部の側方にも収容部を有するバッグに関する。
【背景技術】
【０００２】
特許文献１には、大容量のバッグと小容量のバッグなど、目的に応じてその形態を変更可能なバッグが開示されている。
【先行技術文献】
【特許文献】
【０００３】
【特許文献１】特開２０１８−９９２８９号公報
【発明の概要】
【発明が解決しようとする課題】
【０００４】
一方、本体部の側部にも収容部を有し、例えば飲料などの容器を収容可能にしたバッグがあるが、何も収容しない場合でも収容部が外側に広がっており、利便性、デザイン性などにおいて邪魔になることがあった。
【課題を解決するための手段】
【０００５】
上記を鑑み、本発明に係るバッグは、
上方に開口部を有する袋状の本体部と、
前記本体部の側方に、展開状態と収納状態とに変形可能に設けられた側方収容部と、
前記側方収容部の外面に設けられた規制部と、
前記本体部に設けられ、前記規制部と係合する係合部とを備え、
前記規制部は前記係合部との間で、前記側方収容部が収納状態を保持するように規制する状態と、前記側方収容部が展開状態となることを許容する状態とを少なくとも取り得ることを特徴とする。
【発明の効果】
【０００６】
本発明によれば、側方収容部に何も収容しない場合には、側方収容部の位置を規制部によって規制し、側方収容部を本体部の側方へ収納することができる。
【図面の簡単な説明】
【０００７】
【図１】本発明の一実施形態に係るバッグの展開状態における斜視図。
【図２】本発明の一実施形態に係るバッグの収納状態における斜視図。
【図３】本発明の一実施形態に係るバッグの側方収容部の上面図。
【図４】本発明の一実施形態に係るバッグの側方収容部における他の態様を示す上面図。
【図５】本発明の一実施形態に係るバッグにおける側方収容部付近の模式断面図。
【発明を実施するための形態】
【０００８】
＜全体構成＞
以下、本発明の一実施形態に係るバッグを、図面を用いて説明する。図１は、本実施形態に係るバッグ１における側方収容部２０の展開状態における斜視図を示している。なお、側方収容部２０の展開状態とは、図１に示す通り、本体部１０の側方に上方から収容物を収容可能なスペースを形成するように展開した状態を示している。また、本実施形態においては、バッグ１を形成する材料は、布や皮などを含め、種々の材料を用いることができる。
【０００９】
ここで、以下の説明においては、図１における上側をバッグ１の上方として説明しており、後述する蓋部１１を本体部１０に固定するための留め具１２が係合する被係合部１３が設けられた側をバッグ１の正面側、その反対側を背面側として説明する。
【００１０】
本実施形態におけるバッグ１は、上方に本体開口部１０ａを有する袋状である本体部１０と、その本体開口部１０ａを覆うように設けられた蓋部１１を有する。蓋部１１を、本体部１０の上方を覆う状態とそうでない状態、すなわち本体開口部１０ａを覆う状態と本体開口部１０ａの上方から退避した状態とを変形可能に本体部に取り付けることによってバッグ１の本体部１０を開閉自在とすることができる。
【００１１】
蓋部１１は、本体部１０の正面側に設けられた被係合部１３に対して固定される留め具１２を有し、被係合部１３に留め具１２が固定されることによって本体部１０の本体開口部１０ａを覆う状態を維持することができる。
【００１２】
ここで、留め具１２は、蓋部１１との間に、長さ調整部を有している。これによって、本体部１０に対する蓋部１１の閉まり具合を調整することができる。具体的には、長さ調整部として、紐とその紐の長さを調整可能に係止する係止部によって構成され、ユーザーが紐の長さを所望の長さに調整することができる。
【００１３】
また、本体部１０の左右それぞれの側部における本体開口部１０ａ付近には一対の引っ掛け部１８が設けられている。引っ掛け部１８に肩掛けベルトを取り付けることで、バッグ１をショルダーバッグとして使用することができる。
【００１４】
なお、本体部１０の本体開口部１０ａを覆う方法は蓋部１１に限られず、マグネット、ファスナーなどを設けることで本体部１０を開閉自在に構成しても良い。
【００１５】
＜側方収容部の構成＞
本体部１０の側方には、側方収容部２０が設けられている。上述したように、図１の状態は展開状態であり、その上方に開口部２０ａを形成している。後述する通り、側方収容部２０は、この展開状態と本体部１０の側方に収納された収納状態とに変形可能に設けられている。側方収容部２０は、第１側面部２１、第２側面部２２、規制部２３とで構成されている。本実施形態においては、第１側面部２１と第２側面部２２とは同一部材によって連続して形成されて略円筒状の側方収容部２０の外周面を形成している。換言すると、第１側面部２１は展開状態において外面の一部を形成し、第２側面部２２は、側方収容部２０における外面の、第１側面部２１以外の部分を構成する。
【００１６】
第１側面部２１と第２側面部２２とは、後述する規制部２３の取付部２３ｃを境界として区別されているが、第１側面部２１と第２側面部２２として別の部材を接続することで形成しても良い。また、規制部２３は上下に一対設けられているがこれに限られず、１つでも良いし、３つ以上など上下に複数設けられていても良い。
【００１７】
展開状態においては、第１側面部２１と第２側面部２２とが概ね連続した半円形と矩形を並べた断面を有する筒状に展開することで、内部に物を収容する空間が形成されている。この側方収容部２０は、５００ｍｌの容量のペットボトルの外形に沿う程度の大きさに形成されており、同等のサイズのものを種々収容可能である。また、第１側面部２１と第２側面部２２とはメッシュ状に形成されている。
【００１８】
なお、規制部２３は、この展開状態においては、側方収容部２０が展開状態に広がることを許容する状態となっており、本体部１０に設けられた係合部１４によって、側方収容部２０が展開状態に広がることを許容する位置に規制されている。
【００１９】
具体的に説明すると、規制部２３は、本実施形態においては紐部２３ａと係止具２３ｂとで形成されており、係止具２３ｂは紐部２３ａに対する係止位置を変更可能に設けられていて、この係止具２３ｂが係合部１４に引っ掛かることによって、取付部２３ｃから係止具２３ｂまでの長さを調整された紐部２３ａを規制している。従って、展開状態においては、ユーザーが係止具２３ｂの位置を調整することによって、紐部２３ａにおける取付部２３ｃから係止具２３ｂまでの長さが側方収容部２０の外周に沿う長さ以上となるように調整される。
【００２０】
なお、紐部２３ａにおける取付部２３ｃから係止具２３ｂまでの長さが側方収容部２０の外周以上の長さとならないようにユーザーによって調整された場合であっても、形成された開口部２０ａが所望のサイズとなっていれば、差し支えなく側方収容部２０を展開状態として使用することができる。
【００２１】
なお、側方収容部２０の開口部２０ａと下方側で対向する底部には、ベルト２４が設けられている。図１においてはベルト２４を破線で示しており、ベルト２４はその両端が側方収容部２０の下端部に固定されている。具体的には、一端が第１側面部２１に、他端が第２側面部２２に固定されている。本実施形態においては、ベルト２４はある程度の幅で形成され、側方収容部２０の底部すべては覆わないベルト２４によって側方収容部２０の底部を形成することで、側方収容部２０が後述する収納状態となる際に、その収納動作を妨げにくくすることができる。従って、ベルト２４は概ね側方収容部２０の底面における中央部に設けられている。但し、ベルト２４の代わりに、側方収容部２０の底部を覆うように底面部を設けても良い。
【００２２】
図２には、本実施形態に係るバッグ１における側方収容部２０の収納状態における斜視図を示している。なお、側方収容部２０の収納状態とは、図２に示す通り、本体部１０の側方に折り畳んで収納された状態を示している。
【００２３】
この状態においては、側方収容部２０が概ねＺ形状となるように第２側面部２２がＵ形状に折り畳まれ、さらに第１側面部２１と第２側面部２２との接続部でさらに折り畳まれている。この状態では、取付部２３ｃが、本体部１０の背面部１５まで到達している。従って、この収納状態においては第２側面部２１が側方収容部２０における外観を構成しており、それは本体部１０における側部の外観となっている。
【００２４】
より詳細には、背面部１５から蓋部１１に亘って周囲を覆うように縁部１６が設けられており、収納状態においては、取付部２３ｃが縁部１６に概ね到達する。その際に、第１側面部２１は、その本体側に、折り畳まれた第２側面部２２を位置させる（収容する）状態となるため、第１側面部２１の長さＬ１は、本体部１０の前後方向の幅ｗ（いわゆるマチの幅ｗ）よりも若干長く設定されていることが好ましい。
【００２５】
なお、上記の説明においては、取付部２３ｃが縁部１６に到達するように説明したが、第１側面部２１の長さを幅ｗと同等もしくはそれ以下とした場合であっても、側方収容部２０を収納状態とする収納動作には大きな影響はなく、収納状態において側方収容部２０が側方に突出する突出量を抑えるためには、取付部２３ｃが縁部１６に到達するようにすることが好ましいが、これに限られない。
【００２６】
図３には、本実施形態に係るバッグ１における側方収容部２０付近の上面図を示している。図３（ａ）は展開状態、図３（ｂ）は収納状態を示す。
【００２７】
図３（ａ）に示すように、側方収容部２０は第１側面部２１と第２側面部２２とで形成されるが、その境界となる取付部２３ｃの位置は、側方収容部２０における本体部１０の厚み方向の中心よりも若干背面側の位置として、収納状態に置いて第１側面部２１と第２側面部２２との間に若干のゆとりを設けている。取付部２３ｃをこの位置にすることで、展開状態から紐部２３ａを引っ張って第１側面部２１を本体部１０側に引き寄せて収納する際に、第２側面部２２が第１側面部２１の内側に折り畳まれやすくなり、収納動作を容易にすることができる。
【００２８】
但し、取付部２３ｃの位置はこれに限られない。図４には他の態様における側方収容部２０付近の上面図を示しており、図４（ａ）に示すように、側方収容部２０における本体部１０の厚み方向の中心よりも若干正面側の位置となっていても良い。取付部２３ｃをこの位置にすることで、図４（ｂ）に示す収納状態とする際に、第１側面部２１で第２側面部２２を覆いつつ、できるだけ側方収容部２０を本体部１０に沿って収納することができる。
【００２９】
なお、図３および図４においては、説明のために、引っ掛け部１８を省略して図示している。
【００３０】
＜側方収容部の変形方向＞
また、図５には、本実施形態に係るバッグ１における側方収容部２０付近の模式断面図を示している。本実施形態においては、側方収容部２０をポリエステルなどの布によってメッシュ状に構成しており、可撓性を有している。図５においては、その側方収容部２０が変形した様子を示しており、この状態から更に紐部２３ａを係合部１４側に手繰り寄せていくことで、図２に示す収納状態とすることができる。
【００３１】
上述したように、本体部１０の背面部１５には、その周囲に縁部１６が設けられている。本実施形態においては、図３を用いて説明したように、第１側面部２１の内側に第２側面部２２が位置するように、第２側面部２２が折り畳まれて収納状態となる。なお、図５においては説明のためにベルト２４などの底部は省略して図示している。
【００３２】
その際、ユーザーが紐部２３ａを引っ張ることで、取付部２３ｃから係止具２３ｂまでの長さを短くする操作を行うが、第２側面部２２を図５に示す状態に変形しやすくするために、本実施形態においては、第２側面部２２を本体部１０に取り付ける取り付け位置２２ａを、背面部１５における縁部１６の正面側に設けている。さらに、第２側面部２２は、取り付け位置２２ａ付近では、本体部１０の正面側に向けて取り付けられている。これにより、ユーザーが紐部２３ａを引っ張った際に、第２側面部２２は、図５に示すように変形しやすくなる。
【００３３】
さらに、図５に示すように、第１側面部２１の本体部１０への取り付け位置２１ａは、本体部１０の正面側の縁部１７の正面側において、やや内側（図５における上方）を向くように取り付けられていることが好ましい。なお、図１から図４においては本体部１０の正面側の縁部１７を省略して示しているが、必ずしも図５に示すような太さのある縁部１７を用いなくても良く、ここで言う縁部とは、本体部１０における稜（もしくは稜線。面と面との境界線）を意味する。縁部１６も同様であり、必ずしも太さのある縁部でなくても良い。
【００３４】
まとめると、以上説明したように、第１側面部２１が本体部１０に対して図５における上方（内側）を向くように縁部１７の上方（内側）に取り付けられ、第２側面部２２が本体部１０に対して図５における右方（正面側）を向くように縁部１６の右方（正面側）に取り付けられることで、側方収容部２０自身の取り付け姿勢によって、ユーザーが紐部２３ａを引っ張った際に図５に示す状態を経て収納状態へ容易に変形させることができる。
【００３５】
このように構成することで、側方収容部２０の収納状態において、本体部１０の側部に収納することができる。また、本体部１０の側部に対し、第１側面部２１のみがその外面に露出するようにして収納することができるため、第１側面部２１の連続した外面によって、本体部１０の側部における外観を構成することができ、コンパクトに収納するだけでなく、外観としても違和感なく収納することができる。
【００３６】
なお、上記実施形態の収納状態においては、第１側面部２１の内側に第２側面部２２がＵ形状に折り畳まれて収容される。この状態においては、図５に示すように、第２側面部２２は、本体部１０の幅ｗと略同等の長さで収容される。すなわち、第１側面部２１の長さＬ１は、第２側面部２２の長さＬ２よりも短く、本体部１０の幅ｗよりも長い。また、第２側面部の長さＬ２は、Ｕ字形状に折り畳まれた状態で本体部１０の幅ｗに近い長さで本体部１０の側部に収まっており、少なくとも１／２×Ｌ２＜ｗを満たしている。従って、これらの関係をまとめると、ｗ＜Ｌ１＜Ｌ２＜２×ｗとなっている。この関係によれば、本体部１０の側部に対して側方収容部２０を省スペースに収納することができる。
【００３７】
但し、実際には、図３や図４に示す状態よりも第２側面部２２がゆとりを持って保持されるように構成しても良く、その場合であっても、取付部２３ｃが縁部１６付近まで到達するようにすることで、第１側面部２１によって側方収容部２０の外面、すなわちバッグ１の側部における外面を形成することができ、省スペースな収納が可能となる。その場合、１／３×Ｌ２＜ｗとなる程度に第２側面部２２の長さＬ２を設定することが好ましく、従って、ｗ＜Ｌ１＜Ｌ２＜３×ｗを満たす場合にも、好適に側方収容部２０を本体部１０側に収納して収納状態を形成することができる。
【００３８】
なお、図５においては、第１側面部２１の長さＬ１と第２側面部２２の長さＬ２を示す矢印を、紙面上の図示の都合上短めに表示しているが、実際には長さＬ１と長さＬ２とは、それぞれの取り付け部２１ａ、２２ａから取付部２３ｃまでの長さを意味する。
【００３９】
また、上記実施形態では、第２側面部２２がＵ形状に折り畳まれる状態となるものを例示したが、これに限られず、第２側面部２２が２回以上折り畳まれる状態で収納状態を形成するものであっても良いし、それ以外の状態で第２側面部２２が折り畳まれるように構成しても良い。
【００４０】
第２側面部２２が２回以上折り畳まれて収納状態が形成されるように構成した場合、特に第２側面部２２を３回以上の奇数回折り畳んで収納状態が形成される場合、第２側面部２２を本体部１０に取り付ける取り付け位置２２ａが、本体部１０の正面側における縁部１７付近に設けられても良い。その場合であっても、収納状態において第２側面部２２を第１側面部２１の中に省スペースに収容して収納状態を形成する場合には、第２側面部２２をつづら折り状に畳んで第１側面部２１の内側に収納することが好ましい。
【００４１】
また、第２側面部２２を２回以上折り畳んで収納する場合には、収納状態における第２側面部２２における屈曲部分に、収納状態から展開状態までの形状である場合に、第２側面部２２がつづら折りに折り畳まれるような復元力を及ぼす復元部材を追加しても良い。例えば、屈曲部分の内部にトーションばねや板ばねや樹脂ばねなどの復元力を及ぼす部材を内蔵し、収納状態から側方収容部２０を展開状態に近付けるにつれて、第２側面部２２がつづら折りに折り畳まれて収納状態となる復元力が徐々に強い力となって第２側面部２２の屈曲部に及ぼされるように構成することが好ましい。尚、復元部材は、第２側面部２２が折り畳まれる回数に依らず設けて良い。本実施形態においては、収納状態になる際には、第１側面部２１と第２側面部２２との境界に位置する取付部２３ｃを紐部２３ａによって引っ張ることで、第１側面部２１の端部を縁部１６に近付けるとともに、第２側面部２２が折り畳まれるものである。折り畳まれる方の第２側面部２２に復元部材を設けることによって好適に収納状態を形成することができる。
【００４２】
また、第２側面部２２を本体部１０に取り付ける取り付け位置２２ａは、本体部１０の側面における縁部１６と縁部１７との間の中間位置に取り付けられても良い。
【００４３】
また、以上説明した実施形態においては、側方収容部２０を展開状態と収納状態との間で変形させることで、内部に収容部を収容する展開状態と、本体部１０に沿う収納状態とを使い分けることについて説明したが、展開状態と収納状態との間の状態でも、収容物を収容可能に構成しても良い。側方収容部２０の容積は、規制部２３における紐部２３ａから係止具２３ｂまでの長さをどの程度にするかによって変更することができ、例えば、展開状態においてはペットボトルなどを好適に保持することができるが、缶入りの飲料などを収容する場合には、展開状態よりも紐部２３ａを少し短く調整し、収容物に側方収容部２０が密着するように保持することが可能である。
【００４４】
また、側方収容部２０はメッシュ状に形成されると説明したが、その内面にタオル地などを設ければ、収容物に結露などが生じた場合でも、底部から水滴が滴り落ちることを減らすことが可能である。
【００４５】
本発明に係るバッグは、上記実施形態に限られず、本発明の主旨を逸脱しない範囲で種々の変更を適用可能である。例えば、本実施形態においては、ショルダーバッグを例に挙げて説明したが、リュックサックやボストンバッグにも適用可能である。
【符号の説明】
【００４６】
１  バッグ
１０  本体部
１１  蓋部
１４  係合部
２０  側方収容部
２１  第１側面部
２２  第２側面部
２３  規制部
２３ａ  紐部
２３ｂ  係止具
２３ｃ  取付部
【図１】
2020069351.tif 000003
【図２】
2020069351.tif 000004
【図３】
2020069351.tif 000005
【図４】
2020069351.tif 000006
【図５】
2020069351.tif 000007